(57)【特許請求の範囲】
【請求項１】
マスタレンズの像側に装着して用いられ、脱着可能なテレコンバータレンズであって、
物体側から順に、正屈折力の第１レンズ群と、第２レンズ群と、第３レンズ群とを有し、
前記第１レンズ群は、単レンズからなり、
前記第２レンズ群は、負レンズを含む接合レンズを有し、
前記第３レンズ群は、負レンズを含む接合レンズからなり、
以下の条件（２Ａ）を満足することを特徴とするテレコンバータレンズ。
（２Ａ）０．１０  ＜  ｆ／ｆａ  ＜０．８０
ただし、
ｆ：無限遠合焦時における前記テレコンバータレンズの焦点距離
ｆａ：無限遠合焦時における前記第１レンズ群、前記第２レンズ群、及び前記第３レンズ群の合成焦点距離
【請求項２】
以下の条件を満足することを特徴とする請求項１に記載のテレコンバータレンズ。
０．４０  ＜  Ｄ／ＴＬ  
ただし、
Ｄ：前記第１レンズ群の最も物体側のレンズ面から前記第３レンズ群の最も像側のレンズ面までの光軸上の距離
ＴＬ：前記テレコンバータレンズの最も物体側のレンズ面から最も像側のレンズ面までの光軸上の距離
【請求項３】
以下の条件を満足することを特徴とする請求項１に記載のテレコンバータレンズ。  
１．４０  ＜  β
ただし、
β：前記テレコンバータレンズの拡大倍率
【請求項４】
前記第２レンズ群の前記接合レンズは、物体側から順に、前記負レンズと正レンズとの接合よりなるレンズであることを特徴とする請求項１から３のいずれか一項に記載のテレコンバータレンズ。
【請求項５】
前記第２レンズ群は正レンズを有し、以下の条件を満足することを特徴とする請求項１から４のいずれか１項に記載のテレコンバータレンズ。  
０．７０  ＜  Ｎｐ／Ｎｎ  ＜  ０．９５
ただし、
Ｎｐ：前記第２レンズ群中の最も物体側の正レンズのｄ線の屈折率
Ｎｎ：前記第２レンズ群中の最も物体側の負レンズのｄ線の屈折率
【請求項６】
少なくとも１つのレンズ面に非球面を有することを特徴とする請求項１から５のいずれか一項に記載のテレコンバータレンズ。
【請求項７】
請求項１から６のいずれか一項に記載のテレコンバータレンズを有することを特徴とする光学装置。
【請求項８】
物体側から順に、正屈折力の第１レンズ群と、第２レンズ群と、第３レンズ群とを有し、
前記第１レンズ群は、単レンズからなり、
前記第２レンズ群は、負レンズを含む接合レンズを有し、
前記第３レンズ群は、負レンズを含む接合レンズからなり、
以下の条件（２Ａ）を満足するテレコンバータレンズを、マスタレンズの像側に装着して該マスタレンズの焦点距離を拡大する方法。
（２Ａ）０．１０  ＜  ｆ／ｆａ  ＜０．８０
ただし、
ｆ：無限遠合焦時における前記テレコンバータレンズの焦点距離
ｆａ：無限遠合焦時における前記第１レンズ群、前記第２レンズ群、及び前記第３レンズ群の合成焦点距離
【発明の詳細な説明】
【技術分野】
【０００１】
本発明は、テレコンバータレンズとこれを有する光学装置、マスタレンズの焦点距離を拡大する方法に関する。
【背景技術】
【０００２】
従来、撮影レンズの焦点距離をより長くしたいという要望から、全レンズ系の焦点距離を変化させる着脱可能なテレコンバータレンズが提案されてきた（例えば、特許文献１、２参照）。
【先行技術文献】
【特許文献】
【０００３】
【特許文献１】特開昭６３−２０１６２４号公報
【特許文献２】特開平１−１２９２１９号公報
【発明の概要】
【発明が解決しようとする課題】
【０００４】
しかしながら、従来のテレコンバータレンズは、拡大倍率が高くなるとマスタレンズの収差も拡大してしまうため、結像性能が不十分であるという問題があった。
【０００５】
本発明は、上記問題に鑑みてなされたものであり、高い結像性能を有するテレコンバータレンズとこれを有する光学装置、マスタレンズの焦点距離を拡大する方法を提供する。
【課題を解決するための手段】
【０００６】
上記課題を解決するため、本発明は、マスタレンズの像側に装着して用いられ、脱着可能なテレコンバータレンズであって、物体側から順に、正屈折力の第１レンズ群と、第２レンズ群と、第３レンズ群とを有し、前記第１レンズ群は、単レンズからなり、前記第２レンズ群は、負レンズを含む接合レンズを有し、前記第３レンズ群は、負レンズを含む接合レンズからなり、以下の条件（２Ａ）を満足することを特徴とするテレコンバータレンズを提供する。
（２Ａ）０．１０  ＜  ｆ／ｆａ  ＜０．８０
ただし、
ｆ：無限遠合焦時における前記テレコンバータレンズの焦点距離
ｆａ：無限遠合焦時における前記第１レンズ群、前記第２レンズ群、及び前記第３レンズ群の合成焦点距離
【０００７】
また、本発明は、前記テレコンバータレンズを有することを特徴とする光学装置を提供する。
【０００８】
また、本発明は、物体側から順に、正屈折力の第１レンズ群と、第２レンズ群と、第３レンズ群とを有し、前記第１レンズ群は、単レンズからなり、前記第２レンズ群は、負レンズを含む接合レンズを有し、前記第３レンズ群は、負レンズを含む接合レンズからなり、以下の条件（２Ａ）を満足するテレコンバータレンズを、マスタレンズの像側に装着して該マスタレンズの焦点距離を拡大する方法を提供する。
（２Ａ）０．１０  ＜  ｆ／ｆａ  ＜０．８０
ただし、
ｆ：無限遠合焦時における前記テレコンバータレンズの焦点距離
ｆａ：無限遠合焦時における前記第１レンズ群、前記第２レンズ群、及び前記第３レンズ群の合成焦点距離
【発明の効果】
【０００９】
本発明によれば、高い結像性能を有するテレコンバータレンズとこれを有する光学装置、マスタレンズの焦点距離を拡大する方法を提供することができる。
【図面の簡単な説明】
【００１０】
【図１】マスタレンズＭＬに第１実施例に係るテレコンバータレンズＴＣを装着した構成を示す図である。
【図２】マスタレンズＭＬに第１実施例に係るテレコンバータレンズＴＣを装着したレンズ系の無限遠合焦時の諸収差図である。
【図３】マスタレンズＭＬに第２実施例に係るテレコンバータレンズＴＣを装着した構成を示す図である。
【図４】マスタレンズＭＬに第２実施例に係るテレコンバータレンズＴＣを装着したレンズ系の無限遠合焦時の諸収差図である。
【図５】マスタレンズＭＬに第３実施例に係るテレコンバータレンズＴＣを装着した構成を示す図である。
【図６】マスタレンズＭＬに第３実施例に係るテレコンバータレンズＴＣを装着したレンズ系の無限遠合焦時の諸収差図である。
【図７】マスタレンズＭＬに第４実施例に係るテレコンバータレンズＴＣを装着した構成を示す図である。
【図８】マスタレンズＭＬに第４実施例に係るテレコンバータレンズＴＣを装着したレンズ系の無限遠合焦時の諸収差図である。
【図９】マスタレンズＭＬに第５実施例に係るテレコンバータレンズＴＣを装着した構成を示す図である。
【図１０】マスタレンズＭＬに第５実施例に係るテレコンバータレンズＴＣを装着したレンズ系の無限遠合焦時の諸収差図である。
【図１１】マスタレンズＭＬの無限遠合焦時の諸収差図である。
【図１２】マスタレンズＭＬに第１実施例に係るテレコンバータレンズＴＣを装着したレンズ系を備えたカメラの構成を示す図である。
【発明を実施するための形態】
【００１１】
以下、本願の実施形態に係るテレコンバータレンズについて図面を参照しつつ説明する。なお、以下の実施の形態は、発明の理解を容易にするためのものに過ぎず、本願発明の技術的思想を逸脱しない範囲において当業者により実施可能な付加・置換等を施すことを排除することは意図していない。
【００１２】
一般に、テレコンバータレンズは、マスタレンズの焦点距離を拡大するとともに、マスタレンズの収差も拡大してしまう。これは拡大倍率が高いほど顕著となる。したがって、テレコンバータレンズは、拡大倍率が高いものほど十分な光学性能を備えなくてはならない。
【００１３】
本実施形態に係るテレコンバータレンズは、マスタレンズの像側に装着して用いられ、脱着可能なテレコンバータレンズであって、物体側から順に、正屈折力の第１レンズ群と、第２レンズ群と、第３レンズ群とを有し、第２レンズ群は、負レンズを含む接合レンズを有し、第３レンズ群は、負レンズを含む接合レンズを有する。
【００１４】
このような構成により、本テレコンバータレンズは、接合レンズに含まれる負レンズの屈折力を大きくすることが可能となり、ペッツバール和を小さくすることができるので、像面湾曲の少ない、良好な像面を形成できる。また、コマ収差、球面収差の補正を良好に行うことができ、高い結像性能を有するテレコンバータレンズを実現することができる。
【００１５】
また、本テレコンバータレンズは、第１レンズ群が、正屈折力の単レンズからなることが望ましい。このような構成により、レンズ系を小型化、軽量化して製造コストを低減することができるとともに、加工精度や組立精度が過度に求められることがなく、安定した光学性能を有するテレコンバータレンズを容易に実現することができる。
【００１６】
また、本テレコンバータレンズは、第２レンズ群の前記接合レンズが、物体側から順に、前記負レンズと正レンズとの接合よりなるレンズであることが望ましい。このような構成により、球面収差の補正をより良好に行うことができる。
【００１７】
また、本テレコンバータレンズは、以下の条件式（１）を満足することが望ましい。
（１）  ０．４０  ＜  Ｄ／ＴＬ  
ただし、Ｄは第１レンズ群の最も物体側のレンズ面から第３レンズ群の最も像側のレンズ面までの光軸上の距離、ＴＬはテレコンバータレンズの最も物体側のレンズ面から最も像側のレンズ面までの光軸上の距離をそれぞれ示す。
【００１８】
条件式（１）は、第１レンズ群の最も物体側のレンズ面から第３レンズ群の最も像側のレンズ面までの光軸上の距離と、テレコンバータレンズの最も物体側のレンズ面から最も像側のレンズ面までの光軸上の距離（テレコンバータレンズの全長）の適切な範囲を規定する条件式である。条件式（１）を満足することにより、高い結像性能を有するテレコンバータレンズを達成することができる。
【００１９】
条件式（１）の上限値を０．８０にすることにより、諸収差の補正、特に球面収差の補正を良好に行うことができる。
【００２０】
条件式（１）の下限値を下回る場合、像面湾曲、コマ収差の補正が困難になる。なお、条件式（１）の下限値を０．５０にすることにより、諸収差の補正をより良好に行うことができる。
【００２１】
また、本テレコンバータレンズは、以下の条件式（２）を満足することが望ましい。
（２）  ０．１０  ＜  ｆ／ｆａ  
ただし、ｆは無限遠合焦時における前記テレコンバータレンズの焦点距離、ｆａは無限遠合焦時における前記第１レンズ群、前記第２レンズ群、及び前記第３レンズ群の合成焦点距離をそれぞれ示す。
【００２２】
条件式（２）は、無限遠合焦時におけるテレコンバータレンズの焦点距離と、第１レンズ群、第２レンズ群、及び第３レンズ群の合成焦点距離の比の適切な範囲を規定する条件式である。条件式（２）を満足することにより、無限遠合焦時における第１レンズ群、第２レンズ群、及び第３レンズ群の合成焦点距離を適正化でき、ペッツバール和を良好にすることができる。また、球面収差を良好に補正することができる。
【００２３】
なお、条件式（２）の上限値を０．８０にすることにより、第１レンズ群、第２レンズ群、及び第３レンズ群の合成焦点距離を適正化でき、球面収差を良好に補正することができる。
【００２４】
条件式（２）の下限値を下回る場合、第１レンズ群、第２レンズ群、及び第３レンズ群の合成焦点距離が長くなり、ペッツバール和の補正が困難になる。
【００２５】
また、本テレコンバータレンズは、第２レンズ群が正レンズを有し、以下の条件式（３）を満足することが望ましい。
（３）  ０．７０  ＜  Ｎｐ／Ｎｎ  ＜  ０．９５
ただし、Ｎｐは前記第２レンズ群中の最も物体側の正レンズのｄ線（波長λ＝５８７．６ｎｍ）の屈折率、Ｎｎは前記第２レンズ群中の最も物体側の負レンズのｄ線（波長λ＝５８７．６ｎｍ）の屈折率をそれぞれ示す。
【００２６】
条件式（３）は、硝材の屈折率の関係を規定する式である。
【００２７】
条件式（３）を満足することにより、ペッツバール和を適正化し、高い結像性能を有するテレコンバータレンズを達成することができる。
【００２８】
条件式（３）の上限値を上回る場合、ペッツバール和が増大し、像面湾曲、コマ収差が悪化する。なお、条件式（３）の上限値を０．９０にすることにより、諸収差の補正をより良好に行うことができる。
【００２９】
条件式（３）の下限値を下回る場合、高価な硝材を使用することとなり、製造コストの高騰を招く。また、ペッツバール和が過小となり、像面湾曲、コマ収差が悪化する。なお、条件式（３）の下限値を０．７５にすることにより、諸収差の補正をより良好に行うことができる。また、条件式（３）の下限値を０．８０にすることにより、諸収差の補正をさらに良好に行うことができる。
【００３０】
また、本テレコンバータレンズは、以下の条件式（４）を満足することが望ましい。
（４）  １．４０  ＜  β
ただし、βはテレコンバータレンズの拡大倍率を示す。
【００３１】
条件式（４）は、無限遠合焦状態において、テレコンバータレンズがマスタレンズの焦点距離を拡大する倍率の適切な範囲を規定する式である。条件式（４）を満足することにより、十分な拡大倍率を有するテレコンバータレンズを達成することができる。
【００３２】
条件式（４）の下限値を下回る場合、倍率が不十分となり、テレコンバータレンズとして機能しなくなる。なお、条件式（４）の下限値を１．６０にすることにより、本発明の効果を確実にすることができる。
【００３３】
また、本テレコンバータレンズは、少なくとも１つのレンズ面に非球面を有することが望ましい。このような構成とすることにより、諸収差の補正をより良好に行うことができる。
【００３４】
以下、本実施形態に係るテレコンバータレンズの各実施例について図面を参照しつつ説明する。
【００３５】
（第１実施例）
図１は、マスタレンズＭＬに、第１実施例に係るテレコンバータレンズＴＣを装着した構成を示す図である。
【００３６】
第１実施例に係るテレコンバータレンズＴＣは、物体側から順に、正屈折力の第１レンズ群Ｇ１と、第２レンズ群Ｇ２と、第３レンズ群Ｇ３と、第４レンズ群Ｇ４とから構成されている。
【００３７】
第１レンズ群Ｇ１は、両凸形状の正レンズＬ１から構成されている。
【００３８】
第２レンズ群Ｇ２は、物体側から順に、両凹形状の負レンズＬ２と両凸形状の正レンズＬ３との接合よりなる接合レンズから構成されている。
【００３９】
第３レンズ群Ｇ３は、物体側から順に、両凹形状の負レンズＬ４と両凸形状の正レンズＬ５との接合よりなる接合レンズから構成されている。
【００４０】
第４レンズ群Ｇ４は、物体側から順に、像面Ｉ側に凸面を向けた正メニスカスレンズＬ６と、両凹形状の負レンズＬ７とから構成されている。
【００４１】
以下の表１に、マスタレンズＭＬと、マスタレンズＭＬの像側に装着した第１実施例に係るテレコンバータレンズＴＣの諸元値を示す。
【００４２】
表中の（面データ）において、物面は物体面、面番号は物体側から数えたレンズ面の番号、ｒはレンズ面の曲率半径、ｄはレンズ面の面間隔、ｎｄはｄ線（波長λ＝５８７．６ｎｍ）に対する屈折率、νｄはｄ線（波長λ＝５８７．６ｎｍ）に対するアッベ数、（絞り）は開口絞りＳ、像面は像面Ｉをそれぞれ表している。なお、空気の屈折率ｎｄ＝１．００００００は記載を省略している。また、曲率半径ｒ欄の「∞」は平面を示している。
【００４３】
（各種データ）において、ｆ（ＭＬ）はマスタレンズＭＬの焦点距離、ＦＮＯ（ＭＬ）はマスタレンズＭＬのＦナンバー、ｆ（ＭＬ＋ＴＣ）はマスタレンズＭＬにテレコンバータレンズＴＣを装着した際の合成焦点距離、Ｒは撮影距離、ＦＮＯはテレコンバータレンズＴＣのＦナンバー、２ωはテレコンバータレンズＴＣの画角（単位：「°」）、ＹはテレコンバータレンズＴＣの像高、Ｂｆはバックフォーカス、Ｄは第１レンズ群Ｇ１の最も物体側のレンズ面から第３レンズ群Ｇ３の最も像側のレンズ面までの光軸上の距離、ＴＬはテレコンバータレンズＴＣの最も物体側のレンズ面から最も像側のレンズ面までの光軸上の距離（テレコンバータレンズＴＣの全長）、ｆは無限遠合焦時におけるテレコンバータレンズＴＣの焦点距離、ｆａは無限遠合焦時における第１レンズ群Ｇ１、第２レンズ群Ｇ２、及び第３レンズ群Ｇ３の合成焦点距離、Ｎｐは第２レンズ群Ｇ２中の最も物体側の正レンズのｄ線の屈折率、Ｎｎは第２レンズ群Ｇ２中の最も物体側の負レンズのｄ線の屈折率をそれぞれ表している。
【００４４】
（条件式対応値）は、各条件式の対応値をそれぞれ示す。
【００４５】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これらに限られるものではない。また、単位は「ｍｍ」に限定されること無く他の適当な単位を用いることもできる。さらに、これらの記号は、以降の他の実施例においても同様とし説明を省略する。
【００４６】
（表１）
（面データ）
面番号               r         d       nd        νd
物面                ∞        ∞
1)                ∞       4.00     1.51680    64.10
2)                ∞       0.60
3)              173.866   12.00     1.49782    82.52
4)             -978.065    0.20
5)              133.636   15.00     1.49782    82.52
6)             -464.694    5.00     1.80411    46.54
7)              332.918   46.30
8)               99.554    3.50     1.74400    45.00
9)               55.631   15.90     1.49782    82.52
10)            -1371.060   29.55
11)             -169.969    2.70     1.51680    64.10
12)               67.285    4.51
13)             -192.927    7.00     1.80384    33.89
14)              -43.081    2.80     1.58913    61.09
15)               83.887   19.21
16> (絞り)         ∞       1.70
17)              194.039    5.80     1.51860    69.98
18)              -90.958    3.10
19)              -43.595    3.50     1.79504    28.56
20)              -64.790    7.60
21)             -175.804    6.70     1.48749    70.41
22)              -53.035   14.50
23)                ∞       3.63
24)                ∞       2.00     1.51680    64.10
25)                ∞      38.62
26)               80.737    5.00     1.60342    38.00
27)             -106.226    1.00
28)             -139.349    2.00     1.88300    40.76
29)               20.000    8.35     1.59270    35.30
30)              -54.730    4.98
31)              -32.516    2.00     1.88300    40.76
32)               54.064    7.56     1.59270    35.30
33)              -31.655    8.14
34)             -120.000    8.00     1.51742    52.32
35)              -27.841    0.10
36)              -54.228    2.50     1.88300    40.76
37)              140.990    (Bf)
像面                ∞
（各種データ）
f(ML)    =  294.001
FNO(ML)  =    2.89
f(ML+TC) =  588.0
R        =    ∞
FNO      =    5.70
2ω      =    4.18
Y        =   21.60
Bf       =   42.38
D        =   30.888
TL       =   49.628
f        =  -58.954
fa       = -146.112
Np       =    1.59270
Nn       =    1.88300
（条件式対応値）
（１）Ｄ／ＴＬ  ＝０．６２２
（２）ｆ／ｆａ  ＝０．４０３
（３）Ｎｐ／Ｎｎ＝０．８４６
（４）β＝２．００
【００４７】
図２は、マスタレンズＭＬに第１実施例に係るテレコンバータレンズＴＣを装着したレンズ系の無限遠合焦時の諸収差図である。各収差図において、ＦＮＯはＦナンバー、Ｙは像高、Ａは半画角（単位：「°」）、をそれぞれ示す。また、Ｄはｄ線（λ＝５８７．６ｎｍ）、Ｇはｇ線（λ＝４３５．８ｎｍ）の収差曲線をそれぞれ示す。そして球面収差図、非点収差図において、実線はサジタル像面、破線はメリディオナル像面をそれぞれ示す。
【００４８】
なお、以降の実施例においても同様の記号を使用し、以降の説明を省略する。
【００４９】
各収差図より、マスタレンズＭＬに第１実施例に係るテレコンバータレンズＴＣを装着したレンズ系は、諸収差が良好に補正され、優れた結像性能を有していることがわかる。
【００５０】
（第２実施例）
図３は、マスタレンズＭＬに第２実施例に係るテレコンバータレンズＴＣを装着した構成を示す図である。
【００５１】
第２実施例に係るテレコンバータレンズＴＣは、物体側から順に、正屈折力の第１レンズ群Ｇ１と、第２レンズ群Ｇ２と、第３レンズ群Ｇ３と、第４レンズ群Ｇ４とから構成されている。
【００５２】
第１レンズ群Ｇ１は、両凸形状の正レンズＬ１から構成されている。
【００５３】
第２レンズ群Ｇ２は、物体側から順に、両凹形状の負レンズＬ２と両凸形状の正レンズＬ３との接合よりなる接合レンズから構成されている。
【００５４】
第３レンズ群Ｇ３は、物体側から順に、両凹形状の負レンズＬ４と両凸形状の正レンズＬ５との接合よりなる接合レンズから構成されている。
【００５５】
第４レンズ群Ｇ４は、物体側から順に、像面Ｉ側に凸面を向けた正メニスカスレンズＬ６と、両凹形状の負レンズＬ７とから構成されている。
【００５６】
以下の表２に、マスタレンズＭＬと、マスタレンズＭＬの像側に装着した第２実施例に係るテレコンバータレンズＴＣの諸元値を示す。
【００５７】
（表２）
（面データ）
面番号               r         d       nd        νd
物面                ∞        ∞
1)                 ∞       4.00    1.51680    64.10
2)                 ∞       0.60    
3)               173.866   12.00    1.49782    82.52
4)              -978.065    0.20    
5)               133.636   15.00    1.49782    82.52
6)              -464.694    5.00    1.80411    46.54
7)               332.918   46.30    
8)                99.554    3.50    1.74400    45.00
9)                55.631   15.90    1.49782    82.52
10)             -1371.060   29.55    
11)              -169.969    2.70    1.51680    64.10
12)                67.285    4.51    
13)              -192.927    7.00    1.80384    33.89
14)               -43.081    2.80    1.58913    61.09
15)                83.887   19.21    
16> (絞り)          ∞       1.70    
17)               194.039    5.80    1.51860    69.98
18)               -90.958    3.10    
19)               -43.595    3.50    1.79504    28.56
20)               -64.790    7.60    
21)              -175.804    6.70    1.48749    70.41
22)               -53.035   14.50    
23)                 ∞       3.63    
24)                 ∞       2.00    1.51680    64.10
25)                 ∞      38.62    
26)                82.146    5.00    1.60342    38.00
27)               -72.942    1.00    
28)              -132.312    2.00    1.88300    40.76
29)                20.000    8.50    1.59270    35.30
30)               -35.628    1.00    
31)               -27.672    2.00    1.88300    40.76
32)                68.591    7.60    1.59270    35.30
33)               -39.693   12.00    
34)              -120.000    8.00    1.51742    52.32
35)               -30.768    0.10    
36)              -126.291    2.50    1.88300    40.76
37)                64.998    (Bf)    
像面                ∞
（各種データ）
f(ML)    =  294.001
FNO(ML)  =    2.89
f(ML+TC) =  588.0
R        =    ∞
FNO      =    5.70
2ω      =    4.14
Y        =   21.60
Bf       =   43.19
D        =   27.100
TL       =   49.700
f        =  -59.074
fa       = -140.073
Np       =    1.59270
Nn       =    1.88300
（条件式対応値）
（１）Ｄ／ＴＬ  ＝０．５４５
（２）ｆ／ｆａ  ＝０．４２２
（３）Ｎｐ／Ｎｎ＝０．８４６
（４）β＝２．００
【００５８】
図４は、マスタレンズＭＬに第２実施例に係るテレコンバータレンズＴＣを装着したレンズ系の無限遠合焦時の諸収差図である。各収差図より、マスタレンズＭＬに第２実施例に係るテレコンバータレンズＴＣを装着したレンズ系は、諸収差が良好に補正され、優れた結像性能を有していることがわかる。
【００５９】
（第３実施例）
図５は、マスタレンズＭＬに第３実施例に係るテレコンバータレンズＴＣを装着した構成を示す図である。
【００６０】
第３実施例に係るテレコンバータレンズＴＣは、物体側から順に、正屈折力の第１レンズ群Ｇ１と、第２レンズ群Ｇ２と、第３レンズ群Ｇ３と、第４レンズ群Ｇ４とから構成されている。
【００６１】
第１レンズ群Ｇ１は、両凸形状の正レンズＬ１から構成されている。
【００６２】
第２レンズ群Ｇ２は、物体側から順に、両凹形状の負レンズＬ２と両凸形状の正レンズＬ３との接合よりなる接合レンズから構成されている。
【００６３】
第３レンズ群Ｇ３は、物体側から順に、両凹形状の負レンズＬ４と両凸形状の正レンズＬ５との接合よりなる接合レンズから構成されている。
【００６４】
第４レンズ群Ｇ４は、物体側から順に、像面Ｉ側に凸面を向けた正メニスカスレンズＬ６と、両凹形状の負レンズＬ７とから構成されている。
【００６５】
以下の表３に、マスタレンズＭＬと、マスタレンズＭＬの像側に装着した第３実施例に係るテレコンバータレンズＴＣの諸元値を示す。
【００６６】
（表３）
（面データ）
面番号               r         d       nd        νd
物面                ∞        ∞
1)                 ∞       4.00    1.51680    64.10
2)                 ∞       0.60    
3)               173.866   12.00    1.49782    82.52
4)              -978.065    0.20    
5)               133.636   15.00    1.49782    82.52
6)              -464.694    5.00    1.80411    46.54
7)               332.918   46.30    
8)                99.554    3.50    1.74400    45.00
9)                55.631   15.90    1.49782    82.52
10)             -1371.060   29.55    
11)              -169.969    2.70    1.51680    64.10
12)                67.285    4.51    
13)              -192.927    7.00    1.80384    33.89
14)               -43.081    2.80    1.58913    61.09
15)                83.887   19.21    
16> (絞り)          ∞       1.70    
17)               194.039    5.80    1.51860    69.98
18)               -90.958    3.10    
19)               -43.595    3.50    1.79504    28.56
20)               -64.790    7.60    
21)              -175.804    6.70    1.48749    70.41
22)               -53.035   14.50    
23)                 ∞       3.63    
24)                 ∞       2.00    1.51680    64.10
25)                 ∞      38.62    
26)                93.089    5.00    1.60342    38.00
27)               -78.002    1.00    
28)               -80.422    2.00    1.88300    40.76
29)                20.000    8.50    1.59270    35.30
30)               -59.102   11.21    
31)               -38.251    2.00    1.88300    40.76
32)                76.654    7.60    1.59270    35.30
33)               -27.987    1.09    
34)              -120.000    8.00    1.51742    52.32
35)               -26.261    0.10    
36)               -35.268    2.50    1.88300    40.76
37)               350.108    (Bf)    
像面                ∞
（各種データ）
f(ML)    =  294.001
FNO(ML)  =    2.89
f(ML+TC) =  588.0
R        =    ∞
FNO      =    5.70
2ω      =    4.18
Y        =   21.60
Bf       =   41.94
D        =   37.306
TL       =   48.995
f        =  -56.877
fa       = -249.994
Np       =    1.59270
Nn       =    1.88300
（条件式対応値）
（１）Ｄ／ＴＬ  ＝０．７６１
（２）ｆ／ｆａ  ＝０．２２８
（３）Ｎｐ／Ｎｎ＝０．８４６
（４）β＝２．００
【００６７】
図６は、マスタレンズＭＬに第３実施例に係るテレコンバータレンズＴＣを装着したレンズ系の無限遠合焦時の諸収差図である。各収差図より、マスタレンズＭＬに第３実施例に係るテレコンバータレンズＴＣを装着したレンズ系は、諸収差が良好に補正され、優れた結像性能を有していることがわかる。
【００６８】
（第４実施例）
図７は、マスタレンズＭＬに第４実施例に係るテレコンバータレンズＴＣを装着した構成を示す図である。
【００６９】
第４実施例に係るテレコンバータレンズＴＣは、物体側から順に、正屈折力の第１レンズ群Ｇ１と、第２レンズ群Ｇ２と、第３レンズ群Ｇ３と、第４レンズ群Ｇ４とから構成されている。
【００７０】
第１レンズ群Ｇ１は、両凸形状の正レンズＬ１から構成されている。
【００７１】
第２レンズ群Ｇ２は、物体側から順に、両凹形状の負レンズＬ２と両凸形状の正レンズＬ３との接合よりなる接合レンズから構成されている。
【００７２】
第３レンズ群Ｇ３は、物体側から順に、両凹形状の負レンズＬ４と両凸形状の正レンズＬ５との接合よりなる接合レンズから構成されている。
【００７３】
第４レンズ群Ｇ４は、物体側から順に、像面Ｉ側に凸面を向けた正メニスカスレンズＬ６と、両凹形状の負レンズＬ７とから構成されている。
【００７４】
以下の表４に、マスタレンズＭＬと、マスタレンズＭＬの像側に装着した第４実施例に係るテレコンバータレンズＴＣの諸元値を示す。
【００７５】
（表４）
（面データ）
面番号               r         d       nd        νd
物面                ∞        ∞
1)                 ∞       4.00    1.51680    64.10
2)                 ∞       0.60    
3)               173.866   12.00    1.49782    82.52
4)              -978.065    0.20    
5)               133.636   15.00    1.49782    82.52
6)              -464.694    5.00    1.80411    46.54
7)               332.918   46.30    
8)                99.554    3.50    1.74400    45.00
9)                55.631   15.90    1.49782    82.52
10)             -1371.060   29.55    
11)              -169.969    2.70    1.51680    64.10
12)                67.285    4.51    
13)              -192.927    7.00    1.80384    33.89
14)               -43.081    2.80    1.58913    61.09
15)                83.887   19.21    
16> (絞り)          ∞       1.70    
17)               194.039    5.80    1.51860    69.98
18)               -90.958    3.10    
19)               -43.595    3.50    1.79504    28.56
20)               -64.790    7.60    
21)              -175.804    6.70    1.48749    70.41
22)               -53.035   14.50    
23)                 ∞       3.63    
24)                 ∞       2.00    1.51680    64.10
25)                 ∞      38.62    
26)                80.187    5.00    1.60342    38.00
27)              -119.343    1.00    
28)              -143.367    2.00    1.88300    40.76
29)                20.000    8.50    1.59270    35.30
30)               -41.900    4.13    
31)               -32.548    2.00    1.88300    40.76
32)                50.617    7.60    1.59270    35.30
33)               -44.748    7.87    
34)              -120.000    8.00    1.51742    52.32
35)               -27.683    0.10    
36)               -72.263    2.50    1.88300    40.76
37)               125.350    (Bf)    
像面                ∞
（各種データ）
f(ML)    =  294.001
FNO(ML)  =    2.89
f(ML+TC) =  588.0
R        =    ∞
FNO      =    5.94
2ω      =    4.02
Y        =   21.60
Bf       =   47.31
D        =   30.233
TL       =   48.698
f        =  -60.781
fa       =  -95.000
Np       =    1.59270
Nn       =    1.88300
（条件式対応値）
（１）Ｄ／ＴＬ＝  ０．６２１
（２）ｆ／ｆａ＝  ０．６４０
（３）Ｎｐ／Ｎｎ＝０．８４６
（４）β＝２．００
【００７６】
図８は、マスタレンズＭＬに第４実施例に係るテレコンバータレンズＴＣを装着したレンズ系の無限遠合焦時の諸収差図である。各収差図より、マスタレンズＭＬに第４実施例に係るテレコンバータレンズＴＣを装着したレンズ系は、諸収差が良好に補正され、優れた結像性能を有していることがわかる。
【００７７】
（第５実施例）
図９は、マスタレンズＭＬに第５実施例に係るテレコンバータレンズＴＣを装着した構成を示す図である。
【００７８】
第５実施例に係るテレコンバータレンズＴＣは、物体側から順に、正屈折力の第１レンズ群Ｇ１と、第２レンズ群Ｇ２と、第３レンズ群Ｇ３と、第４レンズ群Ｇ４とから構成されている。
【００７９】
第１レンズ群Ｇ１は、両凸形状の正レンズＬ１から構成されている。
【００８０】
第２レンズ群Ｇ２は、物体側から順に、両凹形状の負レンズＬ２と両凸形状の正レンズＬ３との接合よりなる接合レンズから構成されている。
【００８１】
第３レンズ群Ｇ３は、物体側から順に、両凹形状の負レンズＬ４と両凸形状の正レンズＬ５との接合よりなる接合レンズから構成されている。
【００８２】
第４レンズ群Ｇ４は、物体側から順に、両凹形状の負レンズＬ６と、物体側に凸面を向け像側のレンズ面に非球面を設けた正メニスカスレンズＬ７とから構成されている。
【００８３】
以下の表５に、マスタレンズＭＬと、マスタレンズＭＬの像側に装着した第５実施例に係るテレコンバータレンズＴＣの諸元値を示す。
【００８４】
表中の（面データ）において、レンズ面が非球面である場合には面番号に＊印を付して曲率半径の欄には近軸曲率半径を示している。
【００８５】
（非球面データ）において、非球面は以下の式で表される。
Ｘ（ｙ）＝（ｙ２／ｒ）／[１＋[１−κ（ｙ２／ｒ２）]１／２] 
＋Ａ２×ｙ２＋Ａ４×ｙ４＋Ａ６×ｙ６
【００８６】
ここで、光軸に垂直な方向の高さをｙ、高さｙにおける光軸方向の変位量（サグ量）をＸ（ｙ）、基準球面の曲率半径（近軸曲率半径）をｒ、円錐係数をκ、ｎ次の非球面係数をＡｎとする。なお、「E-n」は「×10-ｎ」を示し、例えば「1.234E-05」は「1.234×10-5」を示す。
【００８７】
（表５）
（面データ）
面番号               r         d       nd        νd
物面                ∞        ∞
1)                 ∞       4.00    1.51680    64.10
2)                 ∞       0.60    
3)               173.866   12.00    1.49782    82.52
4)              -978.065    0.20    
5)               133.636   15.00    1.49782    82.52
6)              -464.694    5.00    1.80411    46.54
7)               332.918   46.30    
8)                99.554    3.50    1.74400    45.00
9)                55.631   15.90    1.49782    82.52
10)             -1371.060   29.55    
11)              -169.969    2.70    1.51680    64.10
12)                67.285    4.51    
13)              -192.927    7.00    1.80384    33.89
14)               -43.081    2.80    1.58913    61.09
15)                83.887   19.21    
16> (絞り)          ∞       1.70    
17)               194.039    5.80    1.51860    69.98
18)               -90.958    3.10    
19)               -43.595    3.50    1.79504    28.56
20)               -64.790    7.60    
21)              -175.804    6.70    1.48749    70.41
22)               -53.035   14.50    
23)                 ∞       3.63    
24)                 ∞       2.00    1.51680    64.10
25)                 ∞      38.62    
26)                67.330    5.00    1.60342    38.00
27)              -131.186    1.00    
28)              -250.248    2.00    1.88300    40.76
29)                20.000    8.50    1.59270    35.30
30)               -88.692    2.13    
31)               -37.242    2.00    1.88300    40.76
32)                46.869    7.60    1.59270    35.30
33)               -27.099    5.00    
34)               -58.940    2.50    1.88300    40.76
35)               123.550    0.10    
36)                36.461    8.00    1.51742    52.32
37)*              119.921    (Bf)    
像面                ∞
（非球面データ）
第３７面
κ  =  1.0000
A2  =  0.00000E+00
A4  = -7.17460E-09
A6  = -5.11293E-12
（各種データ）
f(ML)    =  294.001
FNO(ML)  =    2.89
f(ML+TC) =  588.0
R        =  ∞
FNO      =    5.70
2ω      =    4.26
Y        =   21.60
Bf       =   49.50
D        =   28.230
TL       =   43.830
f        =  -70.357
fa       = -581.460  
Np       =    1.59270
Nn       =    1.88300
（条件式対応値）
（１）Ｄ／ＴＬ  ＝０．６４４
（２）ｆ／ｆａ  ＝０．１２１
（３）Ｎｐ／Ｎｎ＝０．８４６
（４）β＝２．００
【００８８】
図１０は、マスタレンズＭＬに第５実施例に係るテレコンバータレンズＴＣを装着したレンズ系の無限遠合焦時の諸収差図である。各収差図より、マスタレンズＭＬに第５実施例に係るテレコンバータレンズＴＣを装着したレンズ系は、諸収差が良好に補正され、優れた結像性能を有していることがわかる。
【００８９】
図１１は、マスタレンズＭＬの無限遠合焦時の諸収差図である。
【００９０】
なお、上記各実施例においてマスタレンズＭＬは同じものを示したが、このマスタレンズＭＬは一例に過ぎず、マスタレンズＭＬの構成はこれに限定されるものではない。
【００９１】
以上の各実施例によれば、拡大倍率が高く、デジタルスチルカメラにも十分対応可能な高い結像性能を有するテレコンバータレンズを提供することができる。
【００９２】
次に、マスタレンズＭＬに本実施形態に係るテレコンバータレンズＴＣを装着したレンズ系を搭載したカメラについて説明する。なお、マスタレンズＭＬに第１実施例に係るテレコンバータレンズＴＣを装着したレンズ系を搭載した場合について説明するが、他の実施例でも同様である。
【００９３】
図１２は、マスタレンズＭＬに第１実施例に係るテレコンバータレンズＴＣを装着したレンズ系を備えたカメラの構成を示す図である。
【００９４】
図１２において、カメラ１は、撮影レンズ２としてマスタレンズＭＬと、マスタレンズＭＬを装着した第１実施例に係るテレコンバータレンズＴＣとを備えたデジタル一眼レフカメラである。カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へと導かれる。これにより撮影者は、被写体像を接眼レンズ６を介して正立像として観察することができる。
【００９５】
また、撮影者によって不図示のレリーズボタンが押されると、クイックリターンミラー３が光路外へ退避し、不図示の被写体からの光は撮像素子７へ到達する。これにより被写体からの光は、撮像素子７によって撮像されて、被写体画像として不図示のメモリに記録される。このようにして、撮影者はカメラ１による被写体の撮影を行うことができる。
【００９６】
カメラ１に撮影レンズ２としてマスタレンズＭＬと、マスタレンズＭＬに装着した第１実施例に係るテレコンバータレンズＴＣとを搭載することにより、マスタレンズＭＬの焦点距離を長くしつつ高い性能を有するカメラを実現することができる。
【００９７】
なお、以下に記載の内容は、光学性能を損なわない範囲で適宜採用可能である。
【００９８】
上記各実施例では４群構成のものを示したが、本願はこれに限られず、その他の群構成（例えば、５群等）にも適用可能である。具体的には、最も物体側や最も像面側にレンズ又はレンズ群を追加した構成でも構わない。なお、レンズ群とは、空気間隔で分離された、少なくとも１枚のレンズを有する部分を示す。
【００９９】
また、無限遠物体から近距離物体への合焦を行うために、レンズ群の一部、１つのレンズ群全体、又は複数のレンズ群を合焦レンズ群として光軸方向へ移動させる構成としてもよい。また、かかる合焦レンズ群は、オートフォーカスに適用することも可能であり、オートフォーカス用のモータ、例えば超音波モータ等による駆動にも適している。
【０１００】
また、いずれかのレンズ群全体又はその一部を、防振レンズ群として光軸に垂直な成分を含むように移動させ、又は光軸を含む面内方向へ回転移動（揺動）させることで、手ブレによって生じる像ブレを補正する構成とすることもできる。特に、第２レンズ群の少なくとも一部を防振レンズ群とすることが好ましい。
【０１０１】
また、レンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。
【０１０２】
レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【０１０３】
また、各レンズ面に、広い波長域で高い透過率を有する反射防止膜を施してもよい。これにより、フレアやゴーストを軽減し、高コントラストの高い光学性能を達成することができる。
【０１０４】
また、本実施形態のテレコンバータレンズは、倍率が１．４〜２．５程度である。
【０１０５】
なお、上記各実施例は本発明の一具体例を示しているものであり、本発明はこれらに限定されるものではない。
【符号の説明】
【０１０６】
ＭＬ：  マスタレンズ
ＴＣ：  テレコンバータレンズ
Ｇ１：  第１レンズ群
Ｇ２：  第２レンズ群
Ｇ３：  第３レンズ群
Ｇ４：  第４レンズ群
Ｉ：    像面
１：    カメラ
２：    撮影レンズ
３：    クイックリターンミラー
４：    焦点板
５：    ペンタプリズム
６：    接眼レンズ
７：    撮像素子
【図１】
0005532853.tif 000002
【図２】
0005532853.tif 000003
【図３】
0005532853.tif 000004
【図４】
0005532853.tif 000005
【図５】
0005532853.tif 000006
【図６】
0005532853.tif 000007
【図７】
0005532853.tif 000008
【図８】
0005532853.tif 000009
【図９】
0005532853.tif 000010
【図１０】
0005532853.tif 000011
【図１１】
0005532853.tif 000012
【図１２】
0005532853.tif 000013